(57)【要約】
【課題】　　収納空間を効率的に大小に区画し、吊り下げ機能を付加し、収納空間の利用率と使用効率を向上することのできる、組立式収納ボックスの提供。
【解決手段】　　収納ボックスの収納空間を形成する面板上に、吊り下げ棒または留め具により、分層板を設置し、原有の収納空間を、該分層板により、上下２つのより小さな収納空間に分割し、さらに、収納空間内の面板上に固定片により吊り棒を設置し、吊り下げ機能を付加する。
【選択図】　　図２
0003100161.tif 000002
【実用新案登録請求の範囲】
【請求項１】
　複数の面板と、複数の連結具を含み、該連結具の二面は、四方向に前記面板が連結される横向溝と正向溝をそれぞれ備え、複数の前記面板を必要に応じ自由に該連結具に嵌置して組立て、複数組の角型の収納空間を形成する収納ボックスであって、さらに、４つの吊り下げ棒と複数の分層板を含み、該吊り下げ棒は両端にフックを備え、一端のフックを前記面板の前後二端のフレーム上に引掛け、前記分層板は、前記収納空間内に設置され、該分層板の前後二端のフレームが、前記吊り下げ棒の別の一端に吊持されて位置決めされることを特徴とし、必要に応じ、該収納空間を上下に分割し、より小さな収納空間を形成する、組立式収納ボック
ス。　　　　　　
【請求項２】
　複数の面板と、複数の連結具を含み、該連結具の二面は、四方向に前記面板が連結される横向溝と正向溝をそれぞれ備え、複数の前記面板を必要に応じ自由に該連結具に嵌置して組立て、複数組の角型の収納空間を形成する収納ボックスであって、さらに、４つの留め具と複数の分層板を含み、該留め具は、それぞれ可撓性の材質で一体成型され、且つ、その両端に連続して彎曲された固定端を形成し、該固定端間は一定距離の開口部を形成し、同時に、該固定端の内側が嵌置槽を形成し、収納ボックスの左右面板の一定高さの横向きの格子棒の前後箇所を前記開口部から嵌置槽内に嵌置し、該留め具内に保持され、前記分層板は、前記収納空間内に設置され、該分層板の前後二端のフレームを、前記留め具の開口部から嵌置槽内に嵌置し、前記左右面板に対し位置決めされることを特徴とし、必要に応じ、該収納空間を上下に分割し、より小さな収納空間を形成する、組立式収納ボックス。
【請求項３】
　該収納空間を形成する面板の相対する２つの面板の上端に、２つの固定片をそれぞれ設置し、該固定片の一端はフック端を備え、前記相対する面板の上端に該フック端をそれぞれ引掛け、該固定片の別の一端に内側に曲折した軸接端を形成し、該軸接端に吊り棒の両端を固定し、該収納空間内に吊り棒が設置される、請求項１または２に記載の組立式収納ボックス。
【請求項４】
　前記面板と分層板が、格子棒により網目を形成する金属の網状面板である、請求項１または２に記載の組立式収納ボックス。
【請求項５】
　前述のうち、前記面板と分層板が、封閉状で四隅のみフレームが露出した板状面板である、請求項１または２に記載の組立式収納ボックス。
【考案の詳細な説明】
【技術分野】
【０００１】
　本考案は収納ボックスに関し、特に、効果的に大小の収納空間を区画し、吊り下げ機能を簡単に増加し、収納空間の利用率と使用効率を向上することのできる、組立式収納ボックスに関する。
【背景技術】
【０００２】
　図１に示すように、一般的な組立式収納ボックス１０は、主に複数の網目板１１を連結具１２に挿置して組み立てられる。そのうち、前記網目板１１は、縦横に交互に配列され固定された複数の格子棒１１１により格子状の網目を構成し、前記連結具１２は、プラスチック材質で一体成型され、一面に十字形の横向溝１２１を備え、該横向溝１２１に４つの網目板１１を嵌合して位置決め後、組立式収納ボックス１０の上下左右の側面板を形成し、さらに、前記連結具１２の別の一面は、円形面を呈し、該円周を四等分にした位置にそれぞれ正向溝１２２が形成され、別の４つの網目板１１を該正向溝１２２に嵌置し位置決めすると、組立式収納ボックス１０の背面板を形成する。このように、複数の側面板と背面板を相互に組立て、前方が開口した複数の大きさの異なる収納空間１３を形成し、前方の開口部から物品を内部に入れ、収納することができる。　
【考案の開示】
【考案が解決しようとする課題】
【０００３】
　然しながら、前述の一般的な組立式収納ボックス１０は、必要に応じ配置や大きさを自由に変えることのできる複数の収納空間１３を形成し、物品の収納に用いることができるものの、このような組立式収納ボックス１０の収納空間１３は、特定規格であるため、高さが低い物品を収納すると、その上方を利用することができず、該収納空間１３内に無駄な空間を占有してしまい、使用効率が低下する。また、現在一般的な組立式収納ボックス１０は、原有の収納空間１３の規格と収納方法をより自由に運用可能にするためのその他部材がなく、該組立式収納ボックス１０の実用性を向上することができない。このため、製品の実用性と利便性の向上が求められている。
【０００４】
　本考案は、前述の問題に鑑みて、収納空間を効率的に大小に区画し、吊り下げ機能を付加し、収納空間の利用率と使用効率を向上することのできる、組立式収納ボックスの提供を目的
とするものである。
【課題を解決するための手段】
【０００５】
　本考案の組立式収納ボックスは、収納ボックスの収納空間を形成する面板上に、吊り下げ棒または留め具により、分層板を設置し、原有の収納空間を、該分層板により、上下２つのより小さな収納空間に分割し、さらに、収納空間内の面板上に固定片を設置し、吊り下げ機能を付加する。
【考案の効果】
【０００６】
　本考案の組立式収納ボックスによれば、以下の効果が得られる。
１． 必要に応じ、面板上に吊り下げ棒または留め具を設置し、分層板を固定することで、大きすぎて無駄になってしまう収納空間を小さな上下の収納空間に二分割し、適当な物品を収納することができるため、収納ボックス全体の収納効率を向上し、収納空間を最良の状態で利用することができる。　　　　
２． 本考案は、収納空間の面板上に固定片を設置し、吊り棒を設置することができるため、原有の収納空間に、物品の吊り下げ機能を付加することができる。
３． 本考案は、吊り下げ棒、留め具、固定片すべて引掛けるか、嵌合する方法で設置されるため、必要に応じ随時収納形態を調整変更することができ、組立て、分解、配置変更が容易である。
４． 本考案は、吊り下げ棒、留め具、固定片すべてが網目を形成する格子棒と、面板の四隅に露出されたフレームの形態に同時に適用できるため、組立式収納ボックスの実用性を向上することができる。
【考案を実施するための最良の形態】
【０００７】
　以下、本考案の組立式収納ボックスについて、図面に基づき、最良の実施形態を説明する。
【実施例１】
【０００８】
　図２及び図３に本考案の実施例一を示す。本考案の実施例一の収納ボックス２０は、主に、複数の面板２１と、複数個の連結具２２を含み、該連結具２２は、一端に四方向に前記面板２１を連結することができる十字形の横向溝２２１を形成し、側縁に正向溝２２２を設け、複数の面板２１をそれぞれに嵌置し、必要に応じ自由に組立て、従来品同様に、複数の収納空間２３を備えた、複数組の角型の収納ボックスを形成する。この収納ボックス部分の構造は、一般的なものと同様であるため、ここでは説明を省略する。
【０００９】
　本考案は、さらに４つの吊り下げ棒２４を備え、該吊り下げ棒２４の両端にはそれぞれフック２４１を形成し、該フック２４１の一端を、前記面板２１の前後端縁に位置するフレーム２１１に引掛ける。さらに、前記収納空間２３内に設置され空間を分割する、複数の分層板２５を備え、該分層板２５の前後端縁に位置するフレーム２５１を、それぞれ前記フック２４１の別の一端に引掛け、該分層板２５は、該フック２４１により位置決めして保持される。
【００１０】
　前述の構成により、本考案の組立式収納ボックス２０は、必要に応じ、収納空間２３内に分層板２５を設置し、該収納空間２３を二分割し、物品を収納することができ、該収納ボックス２０の収納空間２３の利用率と使用上の利便性が向上される。
【実施例２】
【００１１】
　図５及び図６に本考案の実施例二を示す。本考案の実施例二の収納ボックス２０’は、主に前述の面板２１’と連結具２２、及び分層板２５’を含み、さらに、可撓性の材質で一体成型された留め具２６を備え、該留め具２６の両端は、連続して彎曲され固定端２６１を備え、該固定端２６１間は一定距離の開口部２６２を形成し、同時に、該固定端２６１の内側は、嵌置槽２６３を形成する。該留め具２６は、弾力性を備えた固定端２６１に、収納ボックス２０’の左右の面板２１’の一定高さの横向きの格子棒２１１’の前後箇所と、前記分層板２５’のフレーム２５１’の前後箇所をそれぞれ同時に前記留め具２６の開口部２６２から嵌入し、嵌置槽２６３内に保持する。
【００１２】
　前述の構成により、本考案の組立式収納ボックス２０’は、前述同様必要に応じ、収納空間２３内に分層板２５’を設置し、該収納空間２３を二分割し、物品を収納することができ、該収納ボックス２０’の収納空間２３の利用率と使用上の利便性が向上される。
【００１３】
　さらに、前述の本考案の実施例一及び実施例二の組立式収納ボックス２０、２０’の面板２１、２１’、及び分層板２５、２５’は、四隅のみにフレーム２１１を露出させた板状の面板２１、２１’の形態、または、図４に示すように、複数の格子棒２１１’により形成された網状の面板２１、２１’の形態としてもよい。
【００１４】
　また、図３及び図７に示すように、前述の実施例一及び実施例二における収納ボックス２０、２０’は、適当な収納空間２３の２つの面板２１、２１’の上端部に、２つの固定片２７により吊り棒２８を固定し、該固定片２７はそれぞれ一端にフック端２７１を備え、該フック端２７１を面板２１、２１’の上端部に引掛け、さらに、別の一端に内側へ曲折した軸接端２７２を設け、前記吊り棒２８の両端をネジ２９により該軸接端２７２に螺合して固定し、収納空間２３内に物品の吊り下げ機能を付加する。
【００１５】
　以上、本発明の実施例と運用する技術的原理を図面に基づいて詳述してきたが、具体的な構成は、この実施例に限られるものではなく、本発明の要旨を逸脱しない範囲の修正や変更等があっても、本発明に含まれる。
【図面の簡単な説明】
【００１６】
【図１】一般的な組立式収納ボックスの立体外観斜視図である。
【図２】本考案の組立式収納ボックスの実施例一の立体外観斜視図である。
【図３】本考案の組立式収納ボックスの実施例一の立体分解図である。
【図４】実施例一の面板に別の形態の網目状面板を用いた状態を示す立体外観斜視図である。
【図５】本考案の組立式収納ボックスの実施例二の立体外観斜視図である。
【図６】本考案の組立式収納ボックスの実施例二の留め具による連結部分の立体分解拡大図である。
【図７】図４の網目状面板に固定片により吊り棒を設置した状態を示す立体外観斜視図である。
【符号の説明】
【００１７】
　１０　　　　　収納ボックス
　１１　　　　　網目板
　１１１　　　　 格子棒
　１２　　　　　連結具
　１２１　　　　 横向溝
　１２２　　　　 正向溝
　２０、２０’　　 収納ボックス
　２１、２１’　　面板
　２１１　　　　 フレーム
　２１１’　　　 格子棒
　２２　　　　　連結具
　２２１　　　　 横向溝
　２２２　　　　 正向溝
　２３、２３’　　収納空間
　２４　　　　　吊り下げ棒
　２４１　　　　 フック
　２５、２５’　　分層板
　２５１、２５１’　フレーム
　２６　　　　　留め具
　２６１　　　　 固定端
　２６２　　　　 開口部
　２６３　　　　 嵌置槽
　２７　　　　　固定片
　２７１　　　　 フック端
　２７２　　　　 軸接端
　２８　　　　　吊り棒
　２９　　　　　ネジ
【図１】
0003100161.tif 000003
【図２】
0003100161.tif 000004
【図３】
0003100161.tif 000005
【図４】
0003100161.tif 000006
【図５】
0003100161.tif 000007
【図６】
0003100161.tif 000008
【図７】
0003100161.tif 000009